(57)【特許請求の範囲】
【請求項１】
制御基板を収納するケースと、ケースに装着するカバーと、ケースとカバーとをロックするロック装置とを備えた遊技機用制御基板収納ボックスであって、ロック装置は、一方のロック部材と、他方のロック部材とを備え、一方のロック部材は連結部を備え、他方のロック部材は連結部と連結する被連結部を備え、被連結部は、連結部と係止する係止部と係止解除部とを周方向に備え、連結部は係止部を係止する被係止部を連結部の外周に備え、一方のロック部材と他方のロック部材とでケースとカバーの合わせ部分を挟持して固定すると共に係止部を被係止部に係止して連結部と被連結部とを係止しており、合わせ部分を切断して一方及び他方のロック部材を相対的に回動させて被係止部から係止部を外して係止解除部を被係止部に対面させることにより係止を解除することを特徴とする制御基板収納ボックス。
【請求項２】
連結部は板ばねをコ字状にしたものであり、被連結部は、一方のロック部材側に突出して連結部のコ字の開口から空間内に入り込んでおり、先端程細くなるテーパ形状であり、テーパの最大径部が連結部のコ字の対辺の間隔よりも大きく、テーパの最大径部に係止部及び係止解除部が形成されていることを特徴とする請求項１に記載の制御基板収納ボックス。
【請求項３】
連結部は、被連結部を基端に向け付勢する付勢部を備え、連結部と被連結部との係止状態を維持することを特徴とする請求項１又は２に記載の制御基板収納ボックス。
【請求項４】
被係止部は貫通孔であり、係止部は貫通孔に入り込んで係止され、係止部の貫通孔から突き出た部分に付勢部の付勢方向に突出した突設部を設けたことを特徴とする請求項３に記載の制御基板収納ボックス
【請求項５】
請求項１〜４の何れかに記載の遊技機用機板ボックスを内部に設けたことを特徴とする遊技機。
【発明の詳細な説明】
【技術分野】
【０００１】
本発明は、ロック装置を備えた遊技機用の制御基板収納ボックス及びこの制御基板収納ボックスを備えた遊技機に関する。
【背景技術】
【０００２】
特許文献１には、制御基板を収納するケースにカバーを装着した遊技機用制御基板収納ボックスにおいて、ケースに固定された一方のロック部材の連結部とカバーに固定された他方のロック部材の被連結部を係止して、ケースとカバーとをロックするロック装置が開示されている。
【０００３】
【特許文献１】特開平１１−７６５６９号公報
【発明の開示】
【発明が解決しようとする課題】
【０００４】
特許文献１に記載の従来技術においては、制御基板の検査等の際、ケースからカバーを取り外すためにロック装置がカバーから切り離されることになる。しかし、被連結部の一端部が他方のロック部材の係止孔を通って一方のロック部材の嵌合孔に打ち込まれているので、嵌合が解けず、また、被連結部の他端部の外径が他方のロック部材の係止孔の内径よりも大きいので被連結部を他方のロック部材からケース側に引き抜くことができない。従って、ロック装置の一部を破壊しなければ、一方のロック部材、及び他方のロック部材を部材ごとに分解することができず、ロック装置を再利用できないという問題がある。
【０００５】
そこで、本発明は、ロック装置の一部を破壊することなく、連結したロック部材同士を部材ごとに分解することができ、再利用できるロック装置を備えた遊技機用制御基板収納ボックス、及びこの制御基板収納ボックスを備えた遊技機を得ることを目的とする。
【課題を解決するための手段】
【０００６】
前記課題を解決するために、請求項１に記載された発明は、制御基板を収納するケースと、ケースに装着するカバーと、ケースとカバーとをロックするロック装置とを備えた遊技機用制御基板収納ボックスであって、ロック装置は、一方のロック部材と、他方のロック部材とを備え、一方のロック部材は連結部を備え、他方のロック部材は連結部と連結する被連結部を備え、被連結部は、連結部と係止する係止部と係止解除部とを周方向に備え、連結部は係止部を係止する被係止部を連結部の外周に備え、一方のロック部材と他方のロック部材とでケースとカバーの合わせ部分を挟持して固定すると共に係止部を被係止部に係止して連結部と被連結部とを係止しており、合わせ部分を切断して一方及び他方のロック部材を相対的に回動させて被係止部から係止部を外して係止解除部を被係止部に対面させることにより係止を解除することを特徴とする。
【０００７】
請求項２に記載された発明は、請求項１に記載の発明において、連結部は板ばねをコ字状にしたものであり、被連結部は、一方のロック部材側に突出して連結部のコ字の開口から空間内に入り込んでおり、先端程細くなるテーパ形状であり、テーパの最大径部が連結部のコ字の対辺の間隔よりも大きく、テーパの最大径部に係止部及び係止解除部が形成されていることを特徴とする。
【０００８】
請求項３に記載された発明は、請求項１又は２に記載の発明において、連結部は、被連結部を基端に向け付勢する付勢部を備え、連結部と被連結部との係止状態を維持することを特徴とする。
【０００９】
請求項４に記載された発明は、請求項３に記載の発明において、被係止部は貫通孔であり、係止部は貫通孔に入り込んで係止され、係止部の貫通孔から突き出た部分に付勢部の付勢方向に突出した突設部を設けたことを特徴とする。
【００１０】
請求項５に記載された発明は、請求項１〜４の何れか一項に記載の制御基板収納ボックスを内部に設けたことを特徴とする遊技機である。
【発明の効果】
【００１１】
請求項１に記載の発明によれば、ケースとカバーの合わせ部分を一方及び他方のロック部材で挟持して係止すると共に一方及び他方のロック部材同士を固定することにより、ケースとカバーとをロックすることができる。制御基板収納ボックス本体から切り離したロック装置の一方及び他方のロック部材同士を相対的に回動させて、係止部を被係止部から外して係止解除部を被係止部に対面させることにより係止を解除するので、ロック装置の一部を破壊することなく、固定した一方及び他方のロック部材を部材ごとに分解することができ、ロック装置を再利用することができる。
【００１２】
請求項２に記載の発明によれば、請求項１に記載の発明と同様な効果を奏すると共に、一方及び他方のロック部材同士を装着するときに被連結部のテーパにより連結部を広げて係止部を被係止部にスムーズに係止することができる。制御基板収納ボックス本体から切り離した一方及び他方のロック部材を相対的に回動させることにより係止解除部が連結部を押し広げるので、一方及び他方のロック部材同士をスムーズに引き離すことができる。
【００１３】
請求項３に記載の発明によれば、請求項１又は２に記載の発明と同様な効果を奏すると共に、付勢部により連結部と被連結部との係止状態を維持して、連結部と被連結部との遊びをなくしているので、ロック装置の外部からの抉じ開けを防止できる。
【００１４】
請求項４に記載の発明によれば、請求項３に記載の発明と同様な効果を奏すると共に、突設部により付勢部の付勢方向に交差する方向への係止部の移動を規制しているので、係止部が貫通孔（被係止部）から外れることを防止し、ロック装置の外部からの抉じ開けを確実に防止できる。
【００１５】
請求項５に記載の発明によれば、請求項１〜４の何れか一項に記載の効果を奏する制御基板収納ボックスを備えた遊技機を提供できる。
【発明を実施するための最良の形態】
【００１６】
以下に、添付図面を参照して、本発明の第１実施の形態を詳細に説明する。図１は本実施の形態に係る制御基板収納ボックスの図５に示すＡ−Ａ断面図であり、図２は本実施の形態に係るロック装置の図１に示すＢ−Ｂ断面図であり、図３は本実施の形態に係る他方のロック部材と連結部を示す斜視図であり、図４（ａ）は本実施の形態に係る制御基板収納ボックスの分解斜視図であり、図４（ｂ）は図４（ａ）におけるＦを下側から見た部分拡大図である。図５は本実施の形態に係る制御基板収納ボックスの平面図あり、図６は本実施の形態に係る制御基板収納ボックスを取り付けた遊技機である。
【００１７】
図６に示すように、制御基板収納ボックス１は、遊技機（パチンコ台）３の制御基板を収納するものであり、遊技機の内部のパネル５に装着される。図４に示すように、御基板収納ボックス１は、制御基板を収納する樹脂製のケース７と、ケース７に装着する樹脂製のカバー９と、ケース７とカバー９とをロックするロック装置１１とを備えている。ロック装置１１は、一方のロック部材１３と他方のロック部材１５と連結部１７とから構成される。
【００１８】
図１に示すように、ケース７は、一方のロック部材１３を装着する一方の装着部２１を備えている。一方の装着部２１はケースの側部２３の上部２５に連続してケース７の下面２７に平行に張り出している。一方の装着部２１には下方に開口した円筒状の突起２９が形成されており、突起２９の周囲には凹み３１が形成されている。尚、図４（ａ）に示すように、一方の装着部２１はケース７に４つ設けられている。
【００１９】
図１に示すように、カバー９は、他方のロック部材１５を装着する他方の装着部３５を備えている。他方の装着部３５はカバーの側部３７の下部３９に連続してカバー９の上面４１に平行に張り出している。他方の装着部３５には上方に開口した円筒状の突起４３が形成されており、突起４３の周囲には凹み４５が形成されている。尚、図４（ａ）に示すように、他方の装着部３５はカバー９に４つ設けられている。
【００２０】
一方の装着部２１と他方の装着部３５は、同形・同大であり、カバー９がケース７に装着されたときに一方の装着部２１の下面４７と他方の装着部３５の上面４９が密着するように設けられている。
【００２１】
図１に示すように、ロック装置１１は、一方のロック部材１３と、他方のロック部材１５と、一方のロック部材１３と他方のロック部材１５とを連結する連結部１７とを備えている。尚、一方のロック部材１３及び他方のロック部材１５はアルミダイキャスト製である。
【００２２】
図４（ａ）に示すように、一方のロック部材１３は、連結部１７を収納する収納部５３と、連結部１７を固定する突起（固定部）５５ａ、５５ｂと、ケース７の一方の装着部２１と嵌合する一方の嵌合部５７とを備えている。
【００２３】
図１に示すように、収納部５３は、一方のロック部材１３の下部５９付近から上面６１までの円柱状の空洞であり、一方のロック部材１３の前側に位置している。
【００２４】
図２及び図４（ａ）に示すように、突起５５ａ、５５ｂは、収納部５３の下端６３の中央に２つ並んで立設されている。
【００２５】
図１に示すように、一方の嵌合部５７は、一方のロック部材１３の後側に位置し、円柱状の凸部６５と、凸部６５の周囲を囲む凹部６７とを備えている。凹部６７の下面６９は一方のロック部材本体の上面６１と平行である。凸部６５は一方の装着部２１の円筒状の突起２９に嵌るようになっている。
【００２６】
他方のロック部材１５は、被連結部を１８備えており、被連結部１８は、一方のロック部材１３側に基端７０から突出した支持部８１と、連結部１７に係止する一方及び他方の係止部８９ａ、８９ｂと、一方及び他方の係止部８９ａ、８９ｂと連結部１７との係止を解除する係止解除部７７と、連結部１７を押し広げる押し広げ部７９と、ケース７の他方の装着部３５と嵌合する他方の嵌合部８３とを備えている。尚、他方のロック部材１５は、一方のロック部材１３と横断面の外周の形状が同一である。
【００２７】
図３の部分拡大断面図に示すように、支持部８１の横断面は前後にある２つの直線８５ａ、８５ｂと左右にある２つの円弧８７ａ、８７ｂに囲まれた形状である。
【００２８】
一方及び他方の係止部８９ａ、８９ｂは、支持部８１に連続した円柱状の中間部９１の上面９３にあり、互いに支持部８１を挟んだ対称的な位置にある。
【００２９】
係止解除部７７は、支持部８１における横断面が円弧状の一側部９７ａと、一側部９７ａに対向する円弧状の他側部９７ｂと、一側部９７ａに連続する中間部９１の外周部９８ａと、他側部９７ｂに連続する中間部９１の外周部９８ｂとから成る。
【００３０】
押し広げ部７９は、円錐形状（テーパ形状）であり、上面（円錐の底面）１０３が中間部の下面１０５に連続している。尚、押し広げ部の上面１０３の径は中間部９１の径と同じ長さである。
【００３１】
図１及び図４（ｂ）に示すように、他方の嵌合部８３は、他方のロック部材１５の後側に位置し、円柱状の凸部１０５と、凸部１０５の周囲を囲む凹部１０７とを備えている。凹部１０７の上面１０９は他方のロック部材１５の下面１１１と平行である。凸部１０５は他方の装着部３５の円筒状の突起４３に嵌るようになっている。
【００３２】
連結部１７は、板ばねをコ字状にしたものであり、コ字の対辺である両側部１１５ａ、１１５ｂの各々に、被連結部１８の一方及び他方の係止部８９ａ、８９ｂを挿通して係止する被係止部（貫通孔）１１７ａ、１１７ｂが形成されている。両側部１１５ａ、１１５ｂ同士の間隔は支持部８１の横断面の２直線８５ａ、８５ｂの間隔Ｌと同じ位である。
【００３３】
両側部１１５ａ、１１５ｂを連結する中間部１１９には突起５５ａ、５５ｂを挿通する２つの挿通孔１２１ａ、１２１ｂが形成されている。挿通孔１２１ａ、１２１ｂに挿通した突起５５ａ、５５ｂをかしめて連結部１７を一方のロック部材１３に固定する。尚、連結部１７はＳＷＰ（ピアノ線材を熱処理した後、冷間加工したもの）製である。
【００３４】
以下に、本実施の形態に係る制御基板収納ボックス１の組み立て手順を説明する。図４に示すように、ケース７にカバー９を装着して、ケース７の一方の装着部２１と一方のロック部材１３の一方の嵌合部５７とを嵌合させる。このとき一方の嵌合部５７の円柱状の凸部６５が一方の装着部２１の円筒状の突起２９に嵌る。カバー９の他方の装着部３５と他方の嵌合部８３とを嵌合させる。このとき他方の嵌合部８３の円柱状の凸部１０５が他方の装着部３５の円筒状の突起４３に嵌る。これで、一方のロック部材１３及び他方のロック部材１５は、ケース７及びカバー９と係止して装着方向に直角な方向に外れなくなる。他方のロック部材１５が一方のロック部材１３に装着される際、押し広げ部７９が連結部１７を押し広げていき、中間部９１が連結部１７の被係止部１１７ａ、１１７ｂに嵌る。図１に示すように、中間部９１の係止部７５側の径は連結部１７の両側部１１５ａ、１１５ｂ同士の間隔よりも大きく、一方及び他方の係止部８９ａ、８９ｂは被係止部１１７ａ、１１７ｂの縁１１８ａ、１１８ｂに係止して、他方のロック部材１５は一方のロック部材１３から外れなくなる。このようにして、一方のロック部材１３と他方のロック部材１５とが固定されることによりケース７とカバー９とがロックされる。
【００３５】
次に、本実施の形態に係る制御基板収納ボックスの分解手順を説明する。先ず、一方及び他方の装着部２１、３５を切断して、他方のロック部材１５と一方のロック部材１３とを連結したロック装置１１をケース７及びカバー９から切り離す。一方のロック部材１３と他方のロック部材１５とを装着方向を軸に相対的に９０度回転させる。このとき、一方及び他方の係止部８９ａ、８９ｂが被係止部１１７ａ、１１７ｂから外れて、係止解除部７７で連結部１７を押し広げる。この状態で、他方のロック部材１５と一方のロック部材１３を引き離す。
【００３６】
以下に、本実施の形態に係る制御基板収納ボックスの作用・効果を説明する。本実施の形態によれば、ケース７とカバー９の合わせ部分（互いに密着させた一方及び他方の装着部２１、３５を）を一方及び他方のロック部材１３、１５で挟持して係止すると共に一方及び他方のロック部材１３、１５同士を固定することにより、ケース７とカバー９とをロックすることができる。
【００３７】
制御基板収納ボックス本体から切り離したロック装置１１の一方及び他方のロック部材１３、１５同士を相対的に回動させて、一方及び他方の係止部８９ａ、８９ｂを被係止部（貫通孔）１１７ａ、１１７ｂから外して係止解除部７７を被係止部１１７ａ、１１７ｂに対面させることにより係止を解除するので、ロック装置１１の一部を破壊することなく、固定した一方及び他方のロック部材１３、１５を部材ごとに分解することができ、ロック装置１１を再利用することができる。
【００３８】
一方及び他方のロック部材１３、１５同士を装着するときに被連結部１８のテーパにより連結部１７を広げて一方及び他方の係止部８９ａ、８９ｂを被係止部１１７ａ、１１７ｂにスムーズに係止することができる。
【００３９】
制御基板収納ボックス１本体から切り離した一方及び他方のロック部材１３、１５を相対的に回動させることにより係止解除部７７が連結部１７を押し広げるので、一方及び他方のロック部材１３、１５同士をスムーズに引き離すことができる。
【００４０】
次に、他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００４１】
第２実施の形態では、他方のロック部材１５の一方及び他方の係止部８９ａ、８９ｂの各縁に他方のロック部材１５の下面１１１側に突出した一方及び他方の突設部１２３ａ、１２３ｂが設けられている。図７及び図８に示すように、一方及び他方の突設部１２３ａ、１２３ｂは被係止部（貫通孔）１１７ａ、１１７ｂから突出した一方及び他方の係止部８９ａ、８９ｂの円弧状の縁の一部に沿って立設されている。また、連結部１１３に、連結部１１３の中間部１１９の一部を切り上げた切り上げ部（付勢部）１２５を設けている。
【００４２】
図８に示すように、本実施の形態では、他方のロック部材１５が一方のロック部材１３に装着されたとき、押し広げ部７９の下端（被連結部１８の先端）１２７が切り上げ部１２５と圧接して、一方及び他方の係止部８９ａ、８９ｂを連結部１７の被係止部１１７ａ、１１７ｂの上端１２９ａ、１２９ｂに付勢する。
【００４３】
本実施の形態によれば、他方のロック部材１５を一方のロック部材１３に装着したときに、切り上げ部１２５により一方及び他方の係止部８９ａ、８９ｂを被係止部１１７ａ、１１７ｂの上端１２９ａ、１２９ｂに常時付勢して係止部８９ａ、８９ｂと被係止部１１７ａ、１１７ｂとの遊びをなくしているので、ロック装置１１の外部からの抉じ開けを防止できる。
【００４４】
突設部１２３ａ、１２３ｂにより、切り上げ部１２５の付勢方向に直角な方向への係止部８９ａ、８９ｂの移動を規制しているので、一方及び他方の係止部８９ａ、８９ｂが被係止部１１７ａ、１１７ｂから外れることを防止し、ロック装置１１の外部からの抉じ開けを確実に防止できる。
【００４５】
尚、本発明は、前述した実施形態に限定されることなく、その要旨を逸脱しない範囲で種々変形して実施できることは言うまでもない。
【００４６】
上述の実施形態では、制御基板収納ボックス１にロック装置１１を４つ設けているが、これに限らず、例えばロック装置を８つ設けても良い。
【００４７】
上述の実施形態では、他方のロック部材１５に一方及び他方の係止部８９ａ、８９ｂ及び係止解除部７７が設けられ、一方のロック部材１３に連結部１７が固定されているが、これに代えて、他方のロック部材に連結部を固定して一方のロック部材に係止部及び係止解除部を設けるような構成にしても良い。
【図面の簡単な説明】
【００４８】
【図１】第１実施の形態に係る制御基板収納ボックスの図５に示すＡ−Ａ断面図である。
【図２】第１実施の形態に係るロック装置の図１に示すＢ−Ｂ断面図である。
【図３】第１実施の形態に係る他方のロック部材と連結部を示す斜視図である。
【図４】（ａ）は第１実施の形態に係る制御基板収納ボックスの分解斜視図であり、（ｂ）は（ａ）におけるＦを下側から見た部分拡大図である。
【図５】第１実施の形態に係る制御基板収納ボックスの平面図ある。
【図６】第１実施の形態に係る制御基板収納ボックスを取り付けた遊技機である。
【図７】第２実施の形態に係る他方のロック部材と連結部を示す斜視図である。
【図８】第２実施の形態に係る制御基板収納ボックスのロック装置付近を抜き出して示す縦断面図である。
【符号の説明】
【００４９】
１                      制御基板収納ボックス
３                      遊技機（パチンコ台）
７                      ケース
９                      カバー
１１                    ロック装置
１３                    一方のロック部材
１５                    他方のロック部材
１７                    連結部
１８                    被連結部
２１                    一方の装着部（ケースとカバーの合わせ部分）
３５                    他方の装着部（ケースとカバーの合わせ部分）
７０                    基端
７７                    係止解除部
８９ａ、８９ｂ          一方の被係止部、他方の被係止部
１１３                  連結部
１２５                  切り上げ部
１２７                  押し広げ部の下端（被連結部の先端）
【図１】
0005089331.tif 000002
【図２】
0005089331.tif 000003
【図３】
0005089331.tif 000004
【図４】
0005089331.tif 000005
【図５】
0005089331.tif 000006
【図６】
0005089331.tif 000007
【図７】
0005089331.tif 000008
【図８】
0005089331.tif 000009